(57)【要約】【課題】位置決め部材を既定位置に配置させた状態で複数枚のシートを容易に収容することを可能にする位置決め部材、シート収容装置、及び画像処理装置を提供する。【解決手段】用紙カセット１７は、シート位置決め部材としての右カーソル５２を備える。右カーソル５２は、移動体５４と、移動体５４に支持された当接部５７と、レバー９０と、円弧カム１００と、を備える。当接部５７は、右カーソル５２による位置決めの際に用紙束に当接される当接面５７Ａを有する。レバー９０が操作されて回動すると、円弧カム１００は、レバー９０の回動動作に応じて当接部５７を押圧して当接部５７を用紙束の側端部側へ変位させる。【選択図】図８
2020083573.tif 000002
【特許請求の範囲】
【請求項１】
予め定められた第１方向へ移動可能なようにシート載置面に設けられ、前記シート載置面に載置されたシートの前記第１方向の側端部に当接して前記シートの位置を位置決めするシート位置決め部材であって、
前記シート載置面を前記第１方向へ移動可能な移動体と、
前記移動体に支持され、前記シート位置決め部材による位置決めの際に前記側端部に当接される当接面を有する当接部と、
前記移動体に回動可能に支持された操作部材と、
前記操作部材の回動動作に応じて前記当接部を押圧して前記当接部を前記側端部側へ変位させるカム部と、を備えるシート位置決め部材。
【請求項２】
前記移動体に対して前記当接部を前記側端部とは反対側へ付勢する付勢部材を備え、
前記カム部は、前記付勢部材による付勢力に抗して前記当接部を前記側端部側へ変位させる、請求項１に記載のシート位置決め部材。
【請求項３】
前記当接部の下端部が、回動軸を介して前記移動体に回動可能に支持されており、
前記付勢部材は、前記回動軸に設けられた弾性部材である、請求項２に記載のシート位置決め部材。
【請求項４】
前記カム部は、前記当接部において前記側端部とは反対側の外側面に設けられている請求項１から３のいずれかに記載のシート位置決め部材。
【請求項５】
前記カム部は、前記外側面に形成された傾斜カムである、請求項４に記載のシート位置決め部材。
【請求項６】
請求項１から５のいずれかに記載のシート位置決め部材と、
上面に前記シート載置面を有し、前記シート載置面に前記シートを積載して収容可能なシート収容部と、を備える、シート収容装置。
【請求項７】
請求項６に記載のシート収容装置と、
前記シート収容装置から給送されたシートに対して画像処理を行う画像処理部と、を備える画像処理装置。
【発明の詳細な説明】
【技術分野】
【０００１】
本発明は、予め定められた第１方向へ移動可能なようにシート載置面に設けられ、前記シート載置面に載置されたシートの前記第１方向の側端部に当接して前記シートの位置を位置決めする機構に関する。
【０００２】
画像形成装置は、画像が印刷される用紙（シート）を収容する用紙カセットを備えている。用紙カセットは、複数の用紙を積載して収容する。従来、用紙カセットには、収容された複数枚の用紙の位置が既定位置からずれることを防止するために、位置決め部材（カーソル）が設けられている。前記位置決め部材は、前記リフト板の上面にセットされた用紙束に対して幅方向の位置を前記既定位置に規制する。
【０００３】
また、収容された用紙の側面をバネ部材による弾性力によって押圧する位置決め部材（規制部材）を備える用紙カセット（シートカセット）が開示されている（特許文献１参照）。
【先行技術文献】
【特許文献】
【０００４】
【特許文献１】特開平９−１８３５２２号公報
【発明の概要】
【発明が解決しようとする課題】
【０００５】
しかしながら、従来技術は、バネ部材で用紙の側面を付勢するものであるため、例えば、収容する用紙のサイズに対応する位置に位置決め部材が配置された状態では、バネ部材が邪魔となり、用紙カセットに用紙を収容することができない。この場合、ユーザーは、位置決め部材を予め外方向へずらしておき、その状態で用紙を用紙カセットに収容し、その後に位置決め部材を用紙サイズに応じた既定位置に移動させる必要があり、用紙のセット方法が煩雑であり、用紙カセットの操作性が悪い。
【０００６】
本発明の目的は、位置決め部材を既定位置に配置させた状態で複数枚のシートを容易に収容することを可能にするシート収容装置、シート収容装置を備える画像処理装置、及び位置決め部材を提供することにある。
【課題を解決するための手段】
【０００７】
本発明の一の局面に係るシート位置決め部材は、予め定められた第１方向へ移動可能なようにシート載置面に設けられ、前記シート載置面に載置されたシートの前記第１方向の側端部に当接して前記シートの位置を位置決めするよう構成されている。前記シート位置決め部材は、移動体と、当接部と、操作部材と、カム部と、を備える。前記移動体は、前記シート載置面を前記第１方向へ移動可能に構成されている。前記当接部は、前記移動体に支持され、前記シート位置決め部材による位置決めの際に前記側端部に当接される当接面を有する。前記操作部材は、前記移動体に回動可能に支持されている。前記カム部は、前記操作部材の回動動作に応じて前記当接部を押圧して前記当接部を前記側端部側へ変位させる。
【０００８】
本発明の他の局面に係るシート収容装置は、前記シート位置決め部材と、上面に前記シート載置面を有し、前記シート載置面に前記シートを積載して収容可能なシート収容部と、を備える。
【０００９】
本発明のその他の局面に係る画像処理装置は、前記シート収容装置と、前記シート収容装置から給送されたシートに対して画像処理を行う画像処理部と、を備える。
【発明の効果】
【００１０】
本発明によれば、位置決め部材を既定位置に配置させた状態で複数枚のシートを容易に収容することが可能である。
【図面の簡単な説明】
【００１１】
【図１】図１は、本発明の実施形態に係る画像形成装置の構成を示す斜視図である。
【図２】図２は、本発明の実施形態に係る画像形成装置の筐体の斜視図であり、用紙カセットが装着された状態を示す。
【図３】図３は、本発明の実施形態に係る画像形成装置の筐体の斜視図である。
【図４】図４は、本発明の実施形態に係る用紙カセットの構成を示す斜視図である。
【図５】図５は、用紙カセットが備える左カーソルの構成を示す断面図である。
【図６】図６は、用紙カセットが備える右カーソルの構成を示す斜視図である。
【図７】図７は、右カーソルの構成を示す斜視図であり、右カーソルを内側から見た図である。
【図８】図８は、右カーソルを外側から見たときの斜視図であり、レバーが非押圧位置に配置された状態を示す。
【図９】図９は、右カーソルを外側から見たときの斜視図であり、レバーが押圧位置に配置された状態を示す。
【図１０】図１０は、右カーソルの構成を示す断面図である。
【図１１】図１１は、右カーソルからレバーが取り外された状態を示す斜視図である。
【図１２】図１２は、レバー単体を示す斜視図である。
【図１３】図１３は、右カーソルの動作を示す図であり、当接部が非規制位置に配置された状態を示す。
【図１４】図１４は、右カーソルの動作を示す図であり、当接部が規制位置に配置された状態を示す。
【発明を実施するための形態】
【００１２】
以下、適宜図面を参照して本発明の実施形態について説明する。以下に説明される実施形態は本発明を具体化した一例にすぎず、本発明の技術的範囲を限定するものではない。なお、説明の便宜上、画像形成装置１０が使用可能な設置状態（図１に示される状態）で上下方向Ｄ１、前後方向Ｄ２、左右方向Ｄ３を定義する。
【００１３】
図１を参照して本発明の実施形態に係る画像読取装置１１及びこれを備えた画像形成装置１０の概略構成について説明する。なお、画像読取装置１１及び画像形成装置１０は、いずれも、本発明の画像処理装置の一例である。
【００１４】
画像形成装置１０は、プリント機能、コピー機能、スキャン機能、ファクシミリ機能などを備える複合機である。図１は、本発明の実施形態に係る画像形成装置１０（本発明の画像処理装置の一例）の斜視図である。図１に示すように、画像形成装置１０は、画像読取装置１１、自動原稿送り装置（Auto Document Feeder；以下、ＡＤＦという）１３、画像形成部１５（本発明の画像処理部の一例）、操作表示部１６、用紙カセット１７（本発明のシート収容装置の一例）、給送機構（不図示）、排紙部１８を備えている。
【００１５】
本実施形態では、画像読取装置１１を備える画像形成装置１０を例示して説明するが、本発明はこれに限られない。例えば、本発明は、用紙カセット１７を備えるプリント機能のみを有するプリンター（画像形成装置）、原稿トレイ１４を備えるスキャン機能のみを備えるスキャナー（画像読取装置）などの画像処理装置にも適用可能である。なお、この場合、用紙カセット１７が本発明のシート収容装置の一例であり、原稿トレイ１４が本発明のシート収容装置の一例である。
【００１６】
画像形成部１５は、画像読取装置１１により読み取られた画像データ又は外部のパーソナルコンピューター等の情報処理装置から入力された画像データに基づいて電子写真方式にしたがってカラー又はモノクロの画像形成処理（画像処理の一例）を実行する。画像形成部１５は、画像形成ユニット、露光装置、中間転写ベルト、二次転写ローラー、定着装置などを備える。前記画像形成ユニットは、感光体ドラム、帯電装置、現像装置、一次転写ローラー、クリーニング装置（いずれも不図示）などを備える。これらの構成要素が画像形成部１５のフレームなどを構成する筐体１９に設けられている。
【００１７】
なお、本実施形態では、電子写真方式の画像形成部１５を例にして説明するが、画像形成部１５は電子写真方式のものに限られず、インクジェット記録方式のものであっても、或いはそれ以外の記録方式又は印刷方式のものであってもかまわない。
【００１８】
ＡＤＦ１３は、画像読取装置１１に設けられている。画像読取装置１１は、原稿トレイ１４を備えている。原稿トレイ１４に読取対象である一枚又は複数枚の原稿（本発明のシートの一例）が載置される。ＡＤＦ１３は、原稿トレイ１４に載置された原稿を一枚ずつ取り出して、所定の読取位置へ連続的に搬送する。ここで、前記読取位置は、画像読取装置１１によって原稿の画像が読取可能な位置であって、読取ユニットによって光が照射される位置である。
【００１９】
原稿トレイ１４には、載置された原稿を前後方向Ｄ２における既定位置に位置決めするためのカーソル１４Ａが設けられている。カーソル１４Ａは、原稿トレイ１４の上面（シート載置面）に設けられている。カーソル１４Ａは、原稿トレイ１４の幅方向（左右方向Ｄ３）に沿って、原稿トレイ１４の上面における後方端部から前方側へ移動可能に設けられている。カーソル１４Ａは、原稿トレイ１４に載置された原稿束の後方側の端部に当接して、原稿束の位置を既定位置に位置決めする。
【００２０】
画像読取装置１１は、画像形成装置１０の上部に装着されている。画像読取装置１１は、読取ユニット、コンタクト部材、原稿押さえ１１Ａ、筐体１１Ｂなどを備える。これらの構成要素が、画像読取装置１１の筐体１１Ｂの内部に収容されている。画像読取装置１１は、原稿から画像データを読み取る画像読取処理（画像処理の一例）を実行する。例えば、ＡＤＦ１３によって給送された移動中の原稿から画像を読み取る処理、前記コンタクト部材に載置された静止原稿から画像を読み取る処理を行う。
【００２１】
以下、用紙カセット１７について詳細に説明する。
【００２２】
図３は、画像形成部１５の筐体１９に用紙カセット１７が装着された状態を示す斜視図である。また、図３は、筐体１９を示す斜視図である。図１及び図２に示すように、用紙カセット１７は、筐体１９の下部に設けられている。用紙カセット１７の内部に規定サイズの複数枚の印刷用紙（本発明のシートの一例）が収容される。
【００２３】
筐体１９は、画像形成装置１０の前面から筐体１９の内部に対して前後方向Ｄ２へ用紙カセット１７を挿抜できるようにスライド可能に支持する。図２及び図３に示すように、筐体１９は、左右方向Ｄ３に隔てられた一対の板状のサイドフレーム１９Ａ，１９Ｂを有している。サイドフレーム１９Ａ，１９Ｂは、金属板で構成されている。図３に示すように、筐体１９の下部には、左右方向Ｄ３へ延びる前側支持フレーム２１と、後側支持フレーム２２とが設けられている。各支持フレーム２１，２２は、筐体１９に定められた装着位置まで用紙カセット１７が挿入された場合に、用紙カセット１７を下側から支持する。各支持フレーム２１，２２は、サイドフレーム１９Ａ，１９Ｂ間を渡すように設けられている。各支持フレーム２１，２２は、上下方向Ｄ１において同じ高さ位置に配置されている。
【００２４】
また、筐体１９の下部の前方側には、補強フレーム２３が設けられている。補強フレーム２３は、前側支持フレーム２１よりも前側に配置されており、前側支持フレーム２１から上側へ所定間隔を隔てた位置に配置されている。補強フレーム２３と前側支持フレーム２１と、サイドフレーム１９Ａ，１９Ｂとにより囲まれた開口に対して、用紙カセット１７が挿通可能である。なお、前記所定間隔は、用紙カセット１７が挿入可能な寸法である。
【００２５】
図４は、用紙カセット１７の斜視図である。用紙カセット１７は、筐体１９に着脱可能に支持されている。図４に示すように、用紙カセット１７は、複数枚の印刷用紙を収容可能なように、上面に開口を有する矩形のトレイ形状の用紙収容部４１（本発明のシート収容部の一例）を有する。用紙収容部４１に複数枚の印刷用紙が積載される。用紙収容部４１の底部の底板４６には、上下方向Ｄ１に昇降されるリフト板４５が取り付けられている。リフト板４５は、底板４６において前方側に設けられている。リフト板４５の上に印刷用紙が積載される。リフト板４５の後端部４７は、用紙収容部４１の底板４６に回動可能に支持されており、リフト板４５の前端部は自由端となっている。リフト板４５が上下方向Ｄ１へ変位されることにより、リフト板４５が印刷用紙とともに上下方向Ｄ１へ昇降される。
【００２６】
用紙収容部４１は、正面側に取手部３５を備え、左右に一対の側壁３６Ａ，３６Ｂを備え、後方側に用紙の後端を規制する規制部材３７を備えている。また、底板４６と取手部３５との間には、不図示の給送機構によって用紙収容部４１から前方へ向けて給送される印刷用紙の前端を斜め上方へ案内するためのガイド面を有するガイド部材３８が設けられている。
【００２７】
リフト板４５は、用紙収容部４１の底板４６の上面（底面）に弾性部材（不図示）を介して取り付けられている。前記弾性部材は、例えば、コイルバネや板バネである。前記弾性部材によって、リフト板４５は常に上方へ付勢されている。これにより、リフト板４５に印刷用紙が積載された状態であっても、最上位に位置する印刷用紙は、常に、給送機構のピックアップローラーに接触可能である。
【００２８】
また、図４に示すように、用紙カセット１７は、複数の印刷用紙（用紙束）の位置を位置決めする一対のカーソル５１，５２を備える。カーソル５１，５２は、用紙カセット１７の幅方向（左右方向Ｄ３）へ移動可能なように用紙収容部４１の底板４６に設けられている。本実施形態では、底板４６の幅方向の一方側（左側）にカーソル５１（以下、左カーソル５１と称する。）が設けられており、底板４６の幅方向の他方側（右側）にカーソル５２（以下、右カーソル５２と称する。）が設けられている。ここで、右カーソル５２は本発明のシート位置決め部材の一例である。また、右カーソル５２の移動方向（前記幅方向）は本発明の第１方向の一例である。カーソル５１，５２は、用紙カセット１７に収容される印刷用紙の両側端に当接して印刷用紙のサイズに応じた既定位置に印刷用紙を規制することにより、用紙カセット１７における印刷用紙を前記幅方向において定められた前記既定位置に位置決めする。
【００２９】
図５は、左カーソル５１の構成を示す断面図である。図５に示すように、左カーソル５１は、底板４６にスライド支持される平板状の支持板６５と、支持板６５から上方へ概ね垂直に延出された板状の当接部６６とを有する。左カーソル５１は、例えば合成樹脂製の部材であり、支持板６５と当接部６６とが一体に形成されたものである。支持板６５は、底板４６の上面（底面）に沿って前後方向Ｄ２へ延びている。当接部６６の内側面が、用紙収容部４１に収容された用紙束の左側端部に当接される当接面６６Ａである。支持板６５の上面に用紙束の幅方向の端部（左側の端部）が支持される。
【００３０】
本実施形態では、左カーソル５１は、底板４６において左側の側壁３６Ａの近傍に設けられている。左カーソル５１は、用紙収容部４１に収容された用紙束の左端部に当接して用紙束の位置を前記既定位置に位置決めする。左カーソル５１は、底板４６において前記幅方向へスライド可能に支持されている。
【００３１】
一対のカーソル５１，５２は、互いに連動して底板４６を前記幅方向へ移動可能に構成されている。カーソル５１，５２の連動移動機構としては、例えば、カーソル５１，５２に設けられたラックギヤ５３（図４参照）と、底板４６に回転可能に設けられたピニオンギヤ（不図示）とからなるラック−ピニオン機構が適用可能である。これにより、操作者は、後述する操作レバー６９を操作して左カーソル５１のロックを外し、左カーソル５１だけを前記幅方向へスライドさせることにより、他方の右カーソル５２をその動作に連動して前記幅方向へスライドさせることができる。なお、図４には、カーソル５１，５２のラックギヤ５３が示されているが、ラック−ピニオン機構の他の構成は図示されていない。
【００３２】
図５に示すように、左カーソル５１には操作レバー６９が設けられている。操作レバー６９は、左カーソル５１において、当接部６６の当接面６６Ａとは反対側の外側面６６Ｂから左側（幅方向の外側）へ隔てられた位置に設けられている。操作レバー６９は、支持板６５に一体に形成されており、支持板６５の左端部から上方へ延びている。操作レバー６９は、左カーソル５１をスライド移動させる際に操作される部分であり、概ね上下方向Ｄ１に長いレバー状の部材である。操作レバー６９は、可撓性を有する合成樹脂などで構成されている。操作レバー６９の上端部には、操作者によって把持される操作部７５が設けられている。
【００３３】
操作レバー６９は、図５において実線で示されるロック位置と、図５において破線で示されるアンロック位置との間で変位可能に構成されている。操作レバー６９は、可撓性を有する合成樹脂で構成されることによって、前記ロック位置と前記アンロック位置とに変位可能である。操作レバー６９が操作されていない状態、つまり、操作レバー６９に外力が加えられていない状態では、操作レバー６９は、常に、前記ロック位置に保持される。一方、操作レバー６９が当接部６６側へ操作されて当接部６６側へ撓まされると、前記アンロック位置に配置される。
【００３４】
操作レバー６９の下端部には、下方へ突出するロック爪７８（ロック片の一例）が設けられている。ロック爪７８は、下向きに鋭角な爪形状に形成されている。ロック爪７８は、左カーソル５１を用紙収容部４１の底板４６において幅方向の任意の位置に固定するためのものである。ロック爪７８は、操作レバー６９が前記ロック位置と前記アンロック位置との間を変位する際に、上下方向Ｄ１へ変位する。
【００３５】
用紙収容部４１の底板４６には、幅方向に一定間隔を隔てて形成された複数の係合溝４９Ａからなる係合部４９が形成されている。係合部４９は、底板４６において左カーソル５１が移動する範囲に形成されている。例えば、ロック爪７８が所定サイズのギヤ歯であり、係合部４９がロック爪７８と同じサイズ及び同じピッチのギヤ歯を有するラックギヤである。
【００３６】
本実施形態では、操作レバー６９が操作されていない状態で、操作レバー６９が前記ロック位置に配置されており、操作レバー６９が前記ロック位置にあるときにロック爪７８が係合部４９の係合溝４９Ａに進入して幅方向に係合する（図５参照）。つまり、操作レバー６９が操作されていない状態で、左カーソル５１のロック爪７８は係合部４９の係合溝４９Ａに進入した状態を保持する。この状態では、左カーソル５１は、底板４６に対してロックされており、前記幅方向へ移動することができない。
【００３７】
また、操作部７５が操作されて操作レバー６９が前記ロック位置から前記アンロック位置に変位すると、ロック爪７８が上方へ変位して、ロック爪７８が係合部４９の係合溝４９Ａから上方へ離脱する（図５の破線参照）。これにより、左カーソル５１は、底板４６に対してロックが解除されて、前記幅方向へ移動可能となる。つまり、前記アンロック位置は、底板４６に対する左カーソル５１の固定が解除されるときに操作レバー６９が配置される位置である。
【００３８】
図６乃至図１０は、右カーソル５２の構成を示す図である。図６に示すように、右カーソル５２は、底板４６において右側の側壁３６Ｂの近傍に設けられている。右カーソル５２は、用紙収容部４１に収容された用紙束の右端部に当接して用紙束の位置を前記既定位置に位置決めする。右カーソル５２は、底板４６において前記幅方向へスライド可能に支持されている。
【００３９】
図７に示すように、右カーソル５２は、底板４６の上面を左右方向Ｄ３へ移動可能に構成された移動体５４と、移動体５４に支持された当接部５７と、を有する。移動体５４は本発明の移動体の一例であり、当接部５７は本発明の当接部の一例である。
【００４０】
移動体５４は、底板４６にスライド支持される板状の支持板５５（支持部の一例）と、支持板５５から上方へ概ね垂直に延出された板状の垂直板５６（側板部の一例）とを有する。移動体５４は、例えば合成樹脂製の部材であり、支持板５５と垂直板５６とが一体に形成されたものである。支持板５５は、底板４６の上面（底面）に沿って前後方向Ｄ２へ延びている。支持板５５の上面に用紙束の幅方向の端部（右端部）が支持される。
【００４１】
当接部５７は、移動体５４に支持されている。当接部５７は、概ね矩形状に形成された本体部５７１を有しており、その本体部５７１の内側面（左側の面）が、用紙束に対する位置決めの際に用紙束の右側端部に当接される当接面５７Ａである。当接部５７は、上下方向Ｄ１へ延びる板状の部材であり、垂直板５６の内側面５６Ｂに本体部５７１が対向するように移動体５４に支持されている。
【００４２】
当接部５７は、垂直板５６に対して左右方向Ｄ３へ変位可能に支持されている。具体的には、図８に示すように、本体部５７１の下端部の前後方向Ｄ２の両端それぞれに回動軸８０が設けられている。回動軸８０は、前方又は後方へ延出している。この回動軸８０が支持板５５に設けられた軸受け８１に回動可能に支持されている。これにより、当接部５７は、垂直板５６に対して図８の矢印Ｄ１０の方向へ変位可能となる。
【００４３】
右カーソル５２には、前記幅方向の外側（右側）へ当接部５７を付勢するねじりコイルバネ８３（弾性部材）が設けられている。ねじりコイルバネ８３は、本発明の付勢部材の一例である。ねじりコイルバネ８３は、回動軸８０が挿通された状態で、一端が回動軸８０又は当接部５７に固定され、他端が軸受け８１に固定されている。なお、本実施形態では、付勢部材の一例としてねじりコイルバネ８３を例示するが、前記幅方向の外側（右側）へ当接部５７を付勢するものであれば、他のタイプの弾性部材を適用することができる。
【００４４】
当接部５７は、ねじりコイルバネ８３によって、垂直板５６に対して外側（右側）へ付勢されている。そのため、他の外力が加えられていない状態、例えば、後述の円弧カム１００によって当接部５７が押圧されていない状態では、当接部５７は、ねじりコイルバネ８３の弾性力によって用紙束の右側端部から右側へ離れて、当該右端部を規制しない非規制位置（図１３に示す位置）で後述のレバー９０に接触して静止する。なお、後述のレバー９０が操作されたことにより円弧カム１００が用紙束の右側端部側へ押圧されると、当接部５７は前記右側端部に当接して当該右側端部を規制可能な規制位置に変位する。
【００４５】
図８乃至図１０に示すように、右カーソル５２は、レバー９０（本発明の操作部材の一例）を有する。レバー９０は、ユーザーによって操作される部材である。レバー９０は、当接部５７の本体部５７１よりも外側（右側）に配置されている。なお、図４では、レバー９０の図示が省略されている。レバー９０は、移動体５４に回動可能に支持されている。具体的には、図１０に示すように、垂直板５６の外側面５６Ａに外方向へ突出する支軸８４が設けられており、この支軸８４にレバー９０が回転可能に支持されている。レバー９０は、支軸８４に支持される軸孔９３（図１２参照）を有する円盤形状の回転体９１と、回転体９１の外周部から突出するアーム部９２とを有する。アーム部９２が操作されることにより、レバー９０が後述する押圧位置（図８に示す位置）と非押圧位置（図９に示す位置）との間で回動可能である。
【００４６】
図１１は、右カーソル５２からレバー９０が取り外された状態を示す。図１１に示すように、当接部５７の外側面５７Ｂには、円弧カム１００（本発明のカム部の一例）が設けられている。円弧カム１００は、レバー９０の回動動作に応じてレバー９０によって押圧される部分であり、押圧されることによって当接部５７を用紙束側へ変位させる。
【００４７】
円弧カム１００は、外側面５７Ｂにおいて支軸８４の上側に形成されている。円弧カム１００は、前後方向Ｄ２に沿って延在しており、支軸８４を中心とする円弧形状に形成されている。円弧カム１００は、外側面５７Ｂから外側へ突出する円弧形状のリブである。円弧カム１００は、外側面５７Ｂに形成された所謂傾斜カムであり、前方側の端部１０１から後方側の端部１０２へ向けて徐々に傾斜するカム面１０３（図１１参照）を有している。本実施形態では、端部１０１の突出量が最も小さく、端部１０２の突出量が最も大きい。
【００４８】
図１２は、レバー９０を示す斜視図である。図１２に示すように、レバー９０の回転体９１は、レバー９０の回動位置に応じて円弧カム１００に当接される傾斜面を有する傾斜部９４を有する。傾斜部９４は、外側面５７Ｂに対向される内側面９１Ａに設けられている。傾斜部９４は、円弧カム１００に対応して、円弧形状に形成されており、内側面９１Ａから支軸８４の軸方向へ突出している。本実施形態では、傾斜部９４は、前方側の端部９４１の突出量が最も大きく、後方側の端部９４２へ向けて傾斜しており、端部９４２の突出量が最も小さい。つまり、傾斜部９４は、端部９４１から端部９４２へ向けて徐々に傾斜する傾斜面９４３を有する所謂傾斜カムである。傾斜面９４３は、円弧カム１００のカム面１０３と同じ傾斜角度で傾斜しており、レバー９０が前記非押圧位置（図９参照）に配置された状態で、傾斜面９４３とカム面１０３とは互いに面接触している。
【００４９】
本実施形態では、図１３に示すように、レバー９０が最も前方へ回動されて、前記非押圧位置に変位されると、傾斜部９４の端部９４１と円弧カムの端部１０１とが互いに対向配置される。このとき、レバー９０の傾斜部９４によって円弧カム１００が内側へ押圧されなくなり、ねじりコイルバネ８３の付勢力によって当接部５７が外側へ付勢され、用紙束から離れる。このときの当接部５７の位置が図１３に示す非規制位置である。したがって、ユーザーは、空になった用紙カセット１７に対して、レバー９０を前記非押圧位置に操作することにより、既定位置に配置されたカーソル５１，５２を広げることができる。このため、用紙カセット１７に印刷用紙を収容する際に、カーソル５１，５２を事前に既定位置よりも幅広となるように移動させる必要はなく、また、その後にカーソル５１，５２を既定位置に移動させる必要もなく、容易に印刷用紙を収容することができる。つまり、用紙カセット１７への印刷用紙のセットが簡単となり、用紙カセット１７の挿入時の操作性が良好となる。
【００５０】
また、図１４に示すように、レバー９０が最も後方へ回動されて、前記押圧位置に変位されると、傾斜部９４の端部９４２と円弧カムの端部１０２とが互いに対向配置される。この場合、レバー９０の傾斜部９４によって円弧カム１００がねじりコイルバネ８３の付勢力に抗して内側へ押圧されて、当接部５７が用紙束側へ変位される。このとき、当接部５７の当接面５７Ａが用紙束の右側端部に当接して押圧し、用紙束を既定位置に規制する。このときの当接部５７の位置が図１４に示す規制位置である。したがって、ユーザーは、用紙カセット１７に印刷用紙を収容した後に、レバー９０を前記非押圧位置から前記押圧位置まで操作することにより、カーソル５１，５２を前記規制位置に変位させて、印刷用紙の幅後方の端部を規制することができる。
【００５１】
なお、上述の実施形態では、右カーソル５２が円弧カム１００やレバー９０を備える構成を例示したが、例えば、左カーソル５１及び右カーソル５２の両方に円弧カム１００やレバー９０が設けられた構成であってもよい。
【００５２】
また、上述の実施形態では、外側面５７Ｂに円弧カム１００を設け、また、レバー９０の回転体９１に傾斜部９４を設けた構成について例示したが、本発明はこの構成に限られない。例えば、外側面５７Ｂに円弧カム１００を設け、レバー９０には、円弧カム１００に当接されるボスなどの突出部（突起）が設けられた構成であってもよい。或いは、レバー９０に傾斜部９４を設け、外側面５７Ｂには、傾斜部９４に当接されるボスなどの突出部（突起）が設けられた構成であってもよい。この場合、傾斜部９４は本発明のカム部の役割を担う。
【００５３】
なお、円弧カム１００及び傾斜部９４は、円弧形状のものに限られない。上述の実施形態では、本発明のカム部の一例として円弧形状のものを例示したが、本発明のカム部は、レバー９０の回動動作に応じてレバー９０によって押圧されることによって当接部５７を用紙束側へ変位させるものであれば、如何なる形状であってもよい。
【００５４】
また、上述の実施形態では、用紙カセット１７の右カーソル５２に本発明が適用された構成を例示したが、例えば、画像読取装置１１のカーソル１４Ａが、右カーソル５２と同様に構成されていてもよい。
【００５５】
また、上述の実施形態では、当接部５７が回動軸８０を中心に回動する構成を例示したが、本発明はこの構成に限られない。例えば、当接部５７が前記非規制位置と前記規制位置との間を左右方向Ｄ３に沿って概ね水平に移動する構成であってもよい。
【符号の説明】
【００５６】
１０    ：画像形成装置
１１    ：画像読取装置
１４    ：原稿トレイ
１４Ａ  ：カーソル
１５    ：画像形成部
１７    ：用紙カセット
１９    ：筐体
３６Ａ  ：側壁
３６Ｂ  ：側壁
３７    ：規制部材
３８    ：ガイド部材
４１    ：用紙収容部
４６    ：底板
４７    ：後端部
４９    ：係合部
４９Ａ  ：係合溝
５１    ：左カーソル
５２    ：右カーソル
５４    ：移動体
５５    ：支持板
５６    ：垂直板
５６Ａ  ：外側面
５６Ｂ  ：内側面
５７    ：当接部
５７Ａ  ：当接面
５７Ｂ  ：外側面
６５    ：支持板
６６    ：当接部
６６Ａ  ：当接面
６６Ｂ  ：外側面
６９    ：操作レバー
７５    ：操作部
７８    ：ロック爪
８０    ：回動軸
８１    ：軸受け
８３    ：ねじりコイルバネ
８４    ：支軸
９０    ：レバー
９１    ：回転体
９１Ａ  ：内側面
９２    ：アーム部
９３    ：軸孔
９４    ：傾斜部
１００  ：円弧カム
１０１  ：端部
１０２  ：端部
５７１  ：本体部
９４１  ：端部
９４２  ：端部
【図１】
2020083573.tif 000003
【図２】
2020083573.tif 000004
【図３】
2020083573.tif 000005
【図４】
2020083573.tif 000006
【図５】
2020083573.tif 000007
【図６】
2020083573.tif 000008
【図７】
2020083573.tif 000009
【図８】
2020083573.tif 000010
【図９】
2020083573.tif 000011
【図１０】
2020083573.tif 000012
【図１１】
2020083573.tif 000013
【図１２】
2020083573.tif 000014
【図１３】
2020083573.tif 000015
【図１４】
2020083573.tif 000016